(57)【要約】【課題】貫通導体周囲の機械的強度を高めることができ、また積層コンデンサ部のランドと導体層間の絶縁性を確保できるものとすること。【解決手段】基体１内部の積層コンデンサ部７を貫通して配線導体５から電極パッド１１にかけて形成された第一の貫通導体１０と、積層コンデンサ部７の内層電源導体層同士または内層接地導体層同士を接続する第二の貫通導体１０ｂとを具備し、第一および第二の貫通導体１０ａ，１０ｂは、内層電源導体層または内層接地導体層を貫通するかまたはそれらに接続する部位に、その部位を同心状に取り囲む導体非形成部１３により内層電源導体層または内層接地導体層から独立した導体層から成るランド１２が設けられ、隣接する内層接地導体層または内層電源導体層を貫通するかまたはそれらに接続する部位に、ランド１２および導体非形成部１３に対向する補助導体層１４が設けられている。【選択図】　図１
2004095734.tif 000002
【特許請求の範囲】
【請求項１】
複数の絶縁層が積層されて成る絶縁基板の上面に電子部品を搭載するための電極から成る搭載部および前記電極から引き出された配線導体が形成されているとともに前記絶縁基板の下面に電極パッドが形成されている基体と、該基体の内部に形成された内層電源導体層および内層接地導体層が前記絶縁層を介して対向するようにして交互に積層されて成る積層コンデンサ部と、前記積層コンデンサ部を貫通して前記配線導体から前記電極パッドにかけて形成された第一の貫通導体と、前記積層コンデンサ部の前記内層電源導体層同士または前記内層接地導体層同士を電気的に接続する第二の貫通導体とを具備しており、前記第一および第二の貫通導体は、前記内層電源導体層または前記内層接地導体層を貫通するかまたはそれらに接続する部位に、該部位を同心状に取り囲む導体非形成部によって前記内層電源導体層または前記内層接地導体層から独立した導体層から成るランドが設けられているとともに、隣接する前記内層接地導体層または前記内層電源導体層を貫通するかまたはそれらに接続する部位に、前記ランドおよび前記導体非形成部に対向する補助導体層が設けられていることを特徴とする電子部品搭載用基板。
【発明の詳細な説明】
【０００１】
【発明の属する技術分野】
本発明は、積層コンデンサ部を内部に有する電子部品搭載用基板に関する。
【０００２】
【従来の技術】
従来、積層コンデンサ部を内部に有する電子部品搭載用基板は、図５〜図７に示すように、絶縁基板の上面にＩＣ，ＬＳＩ等の電子部品４２を搭載するための搭載領域４３、電子部品４２を半田４４等により接続するための電極から成る搭載部４６、および搭載部４６より引き出された配線導体４５が形成された基体４１と、基体４１の内部に形成された積層コンデンサ部４７とから主に構成されている。
【０００３】
積層コンデンサ部４７は、内層電源導体層および内層接地導体層としての内層導体層４９が絶縁層４８を介して対向して積層されて成り、また積層コンデンサ部４７を貫通する複数の貫通導体が形成されている。
【０００４】
複数の貫通導体のうち、第一の貫通導体５０ａは、一端が配線導体４５に接続され、他端が電極パッド５１に接続されている。また、第二の貫通導体５０ｂは、積層コンデンサ部４７の内層電源導体層と内層接地導体層とを電気的に接続している。そして、貫通導体は、内層電源導体層または内層接地導体層を貫通する部位に、その部位を同心状に取り囲む導体非形成部５３によって形成されたランド５２が設けられている。
【０００５】
なお、図６は、第二の貫通導体５０ｂに設けられたランド５２を示すものである。
【０００６】
ランド５２は、積層コンデンサ部４７を形成する際に貫通導体の積層ずれ等による導通不良を防ぐためのものである。ランド５２は図７に示すように、貫通導体の周りに円環状に形成されており、貫通導体に接続されて一体化している。ランド５２の周囲には貫通導体を同心状に取り囲む導体非形成部５３が形成されており、その周りは内層導体層４９により囲まれている。
【０００７】
各ランド５２は直径が同じとされており、また、各ランド５２の周りに設けられた導体非形成部５３の幅Ｘも同じになっている。
【０００８】
このような電子部品搭載用基板４１では、積層コンデンサ部４７において、絶縁層４８を介して対向する内層導体層４９間に電気的な容量成分が発生する。そして、電子部品４２の電源電極と接地電極との間に積層コンデンサ部４７で生じる容量成分が接続されるように電子部品４２の各電極と配線導体４５とを接続すると、電子部品４２を電源電圧の変動に起因する電源ノイズから保護できる。すなわち、積層コンデンサ部４７はデカップリングコンデンサとして機能する。
【０００９】
近年、電子部品４２は高性能化に伴って消費電力が大きくなってきている。このため、上記のような電子部品搭載用基板４１に対して、積層コンデンサ部４７の大容量化が要望されている。積層コンデンサ部４７を大容量化するための構成としては、絶縁層４８を薄くして多層化する構成が考えられる。
【００１０】
【発明が解決しようとする課題】
しかしながら、上記従来の電子部品搭載用基板４１において、積層コンデンサ部４７を大容量化するために、絶縁層４８をより薄くしようとすると、絶縁層４８を形成するためのセラミックグリーンシートを薄くする必要があるため、セラミックグリーンシートが塑性変形しにくくなる。その結果、セラミックグリーンシートを積層して圧着する際に、セラミックグリーンシートに印刷した各導体層となる導電性ペースト層がセラミックグリーンシート中に十分に埋設しにくくなる。すると、セラミックグリーンシートに導電性ペースト層とそれが存在しない部位との間に段差が生じる。例えば、貫通導体のランド５２の周囲の導体非形成部５３の部分では、密着に必要な十分な圧力を加えることができず、セラミックグリーンシート同士が密着しにくくなり、セラミックグリーンシート積層体の焼成体において絶縁層４８間に隙間が形成され易くなるという問題点があった。
【００１１】
このような隙間が形成された積層コンデンサ部４７は、貫通導体周囲の機械的強度が不十分であり、また、電流リークにより絶縁不良を生じ易い。さらに、露出する配線導体４５をメッキ処理する際に、処理液が上記隙間に入りこむ恐れもある。隙間に入り込んだメッキ液は、ランド５２や内層導体層４９を腐食し、これらの間の絶縁性を低下させる原因となる。
【００１２】
また、積層コンデンサ部４７を多層化すると、絶縁層４８間の隙間により絶縁層４８間の十分な接合強度を得るのが困難となるので、絶縁層４８と内層導体層４９の間で剥離しやすくなるという問題点もあった。
【００１３】
従って、本発明は上記従来の問題点に鑑み完成されたものであり、その目的は、積層コンデンサ部７を内部に有する電子部品搭載用基板において、貫通導体周囲の機械的強度を高めることができ、また積層コンデンサ部のランドと導体層間の絶縁性を確保できる電子部品搭載用基板を提供することである。
【００１４】
【課題を解決するための手段】
本発明の電子部品搭載用基板は、複数の絶縁層が積層されて成る絶縁基板の上面に電子部品を搭載するための電極から成る搭載部および前記電極から引き出された配線導体が形成されているとともに前記絶縁基板の下面に電極パッドが形成されている基体と、該基体の内部に形成された内層電源導体層および内層接地導体層が前記絶縁層を介して対向するようにして交互に積層されて成る積層コンデンサ部と、前記積層コンデンサ部を貫通して前記配線導体から前記電極パッドにかけて形成された第一の貫通導体と、前記積層コンデンサ部の前記内層電源導体層同士または前記内層接地導体層同士を電気的に接続する第二の貫通導体とを具備しており、前記第一および第二の貫通導体は、前記内層電源導体層または前記内層接地導体層を貫通するかまたはそれらに接続する部位に、該部位を同心状に取り囲む導体非形成部によって前記内層電源導体層または前記内層接地導体層から独立した導体層から成るランドが設けられているとともに、隣接する前記内層接地導体層または前記内層電源導体層を貫通するかまたはそれらに接続する部位に、前記ランドおよび前記導体非形成部に対向する補助導体層が設けられていることを特徴とする。
【００１５】
本発明の半導体素子搭載用基板は、第一および第二の貫通導体は、内層電源導体層または内層接地導体層を貫通するかまたはそれらに接続する部位に、その部位を同心状に取り囲む導体非形成部によって内層電源導体層または内層接地導体層から独立した導体層から成るランドが設けられているとともに、隣接する内層接地導体層または内層電源導体層を貫通するかまたはそれらに接続する部位に、ランドおよび導体非形成部に対向する補助導体層が設けられていることから、絶縁層となるセラミックグリーンシートを積層して圧着する際に、補助導体層が形成されている部位は局部的にセラミックグリーンシートの圧着力が高まるため、補助導体層に対向するランドの周囲の導体非形成部の部分に生じている段差を埋めることができる。その結果、セラミックグリーンシート同士の密着性が向上し、セラミックグリーンシート積層体の焼成体に絶縁層間の隙間が形成されるのを有効に防止することができる。従って、貫通導体周囲の機械的強度を高めることができ、また積層コンデンサ部のランドと内層接地導体層または内層電源導体層との間の絶縁性を確保できる。
【００１６】
【発明の実施の形態】
本発明の電子部品搭載用基板について以下に詳細に説明する。図１，図２は本発明の実施の形態の一例を示す断面図および要部拡大断面図であり、これらの図において、１は基体、２は電子部品、３は搭載部、４は半田、５は配線導体、６は搭載領域である。
【００１７】
本発明の電子部品搭載用基板は、複数の絶縁層が積層されて成る絶縁基板の上面に電子部品２を搭載するための電極から成る搭載部３および電極から引き出された配線導体５が形成されているとともに絶縁基板の下面に電極パッド１１が形成されている基体１と、基体１の内部に形成された内層電源導体層および内層接地導体層が絶縁層８を介して対向するようにして交互に積層されて成る積層コンデンサ部７と、積層コンデンサ部７を貫通して配線導体５から電極パッド１１にかけて形成された第一の貫通導体１０と、積層コンデンサ部７の内層電源導体層同士または内層接地導体層同士を電気的に接続する第二の貫通導体１０ｂとを具備し、第一および第二の貫通導体１０ａ，１０ｂは、内層電源導体層または内層接地導体層を貫通するかまたはそれらに接続する部位に、その部位を同心状に取り囲む導体非形成部１３によって内層電源導体層または内層接地導体層から独立した導体層から成るランド１２が設けられているとともに、隣接する内層接地導体層または内層電源導体層を貫通するかまたはそれらに接続する部位に、ランド１２および導体非形成部１３に対向する補助導体層１４が設けられている構成である。
【００１８】
本発明の基体１は、酸化アルミニウム質焼結体（酸化アルミニウムセラミックス），窒化アルミニウム質焼結体，ムライト質焼結体，炭化珪素質焼結体，窒化珪素質焼結体，ガラスセラミックス等の電気絶縁材料から成る略四角平板状の絶縁層を積層した絶縁基板から成る。
【００１９】
基体１が酸化アルミニウム質焼結体から成る場合、以下のようにして作製される。酸化アルミニウム，酸化珪素，酸化マグネシウム，酸化カルシウム等のセラミック原料粉末に適当な有機バインダ，溶剤，可塑剤，分散剤を添加混合して泥漿状となし、これを従来周知のドクタブレード法でシート状に成形することにより、複数枚のセラミックグリーンシートを得る。次に、これらのセラミックグリーンシートに適当な打ち抜き加工，積層加工，切断加工を施すことにより、基体１となるセラミックグリーンシート成形体を得る。しかる後、このセラミックグリーンシート成形体を約１６００℃の温度で焼成することにより製作される。
【００２０】
基体１は、その上面に配線導体５が多数設けられており、それらの一端が電極から成る搭載部３となっており、他端が積層コンデンサ部７を貫通する第一の貫通導体１０ａに接続されている。この配線導体５は、タングステンやモリブデン，銅，銀等の金属のメタライズ層から成り、タングステン等の金属粉末に適当な有機バインダ，溶剤，可塑剤，分散剤等を添加混合して得た金属ペーストを、従来周知のスクリーン印刷法で基体１となるセラミックグリーンシートに所定のパターンに印刷塗布し、これを基体１となるセラミックグリーンシート成形体とともに焼成することによって、基体１の上面に所定のパターンで形成される。この配線導体５は、基体１の内部や下面にも形成されていてもよい。
【００２１】
そして、配線導体５の露出表面には、配線導体５が酸化腐食するのを防止するとともに配線導体５と半田４等の接合を良好なものとするために、厚みが１〜１０μｍ程度のニッケルめっき層と厚みが０．１〜３μｍ程度の金めっき層とが順次被着されている。
【００２２】
また、基体１の内部には、内層電源導体層または内層接地導体層としての内層導体層９が絶縁層８を介して交互に配置された積層コンデンサ部７が形成されており、この積層コンデンサ７の複数の絶縁層８と複数の内層導体層９とを積層方向に貫通する複数の貫通導体を備えている。
【００２３】
内層導体層９は配線導体５と同様の材料から成り、その厚さは１〜５μｍに設定されている。また、絶縁層８は、基体１が例えば酸化アルミニウム質焼結体から成る場合、厚さは２０〜３０μｍ程度である。このように絶縁層８を薄型化して、絶縁層８を介して内層導体層９を交互に配置することにより、積層コンデンサ部７を大容量化している。そして、電子部品２の電源電極と接地電極との間に積層コンデンサ部７で生じる容量成分が接続されるように、電子部品２の各電極とその各電極に対応する各内層導体層９に接続されている各配線導体５を接続すると、電子部品２を電源電圧の変動に起因する電源ノイズから保護することができる。すなわち、積層コンデンサ部７はデカップリングコンデンサとして機能する。
【００２４】
また、第一の貫通導体１０ａは、積層コンデンサ部７を貫通して、上端が配線導体５に電気的に接続され、下端が基体１の下面に形成された外部接続用の電極パッド１１に接続されている。第一の貫通導体１０ａは２つあり、積層コンデンサ部７で生じる容量成分の入力部と出力部に相当する各内層導体層９に接続されている。第二の貫通導体１０ｂは、積層コンデンサ部７の内層電源導体層同士または内層接地導体層同士を電気的に接続して、それらの電位を強化するものであり、２つ以上設けることができる。
【００２５】
これらの貫通導体は、円柱状のものであり、打ち抜き加工によって各セラミックグリーンシートに貫通孔を形成し、この貫通孔に導電ペーストを充填することによって形成される。この導電ペーストは配線導体５および内層導体層９と同様の高融点金属から成る。
【００２６】
また、貫通導体は、図２に示すように、内層導体層９を貫通するか接続する部位に内層導体層９と同じ面に延びる、内層導体層９から独立した導体層から成るランド１２を有している。このランド１２は、図７に示したように、貫通導体に同軸状に形成された円環状であり、配線導体５および内層導体層９と同様の高融点金属から成る。そして、ランド１２の周囲には、幅Ｘ（０．０１〜０．５ｍｍ程度）の導体非形成部１３が形成されており、その周囲は内層導体層９により囲まれている。
ランド１２は貫通導体に一体化して接続されている。
【００２７】
さらに、第一の貫通導体１０ａが接続される、基体１の下面に形成された電極パッド１１は、その表面にニッケルや金等の耐食性および導電性の良好なメッキ層が形成されている。このメッキ層は、電極パッド１１が腐食するのを防止するとともに、電極パッド１１と外部電気回路基板の電極等との接続強度を高めるためのものであり、メッキ層の厚みは１〜２０μｍ程度である。
【００２８】
そして、本発明の電子部品用基板は、ランド１２が形成された内層導体層９に隣接する内層導体層９を貫通導体が貫通するかまたはそれらに接続する部位に、ランド１２および導体非形成部１３に対向する補助導体層１４が設けられている。これにより、絶縁層８となるセラミックグリーンシートを積層して圧着する際に、補助導体層１４が形成されている部位は局部的にセラミックグリーンシートの圧着力が高まるため、補助導体層１４に対向するランド１２の周囲の導体非形成部１３の部分に生じている段差を埋めることができる。その結果、セラミックグリーンシート同士の密着性が向上し、セラミックグリーンシート積層体の焼成体に絶縁層８間の隙間が形成されるのを有効に防止することができる。従って、貫通導体周囲の機械的強度を高めることができ、また積層コンデンサ部７のランド１２と内層導体層９との間の絶縁性を確保できる。
【００２９】
補助導体層１４は略円形のものであり、その直径はランド１２および導体非形成部１３を合わせた径よりも０．０１〜０．５ｍｍ程度大きいことが好ましい。この場合、セラミックグリーンシート同士の積層ずれが発生したとしても、導体非形成部１３の段差を補助導体層１４の厚み分で埋められるため、密着に必要な圧力を加えることができ良好な密着性を付与することができる。この場合、０．０１ｍｍ未満であると、セラミックグリーンシートの積層ずれにより補助導体層１４の厚み分で導体非形成部１３の段差を埋められなくなり密着に必要な圧力を加えられずに密着性が低下する傾向にある。他方０．５ｍｍを超えると、導体非形成部１３以外の内層導体層９と補助導体層１４との重なり部分が大きくなり、密着のための圧力を加えるとセラミックグリーンシートが変形してしまい、セラミックグリーンシート間に隙間が発生して密着性が低下する傾向にある。
【００３０】
補助導体層１４の厚みは２〜１５μｍが好ましい。２μｍ未満では、導体非形成部１３の段差を補助導体層１４の厚み分で埋めて密着に必要な圧力を加えることが困難になる。１５μｍを超えると、密着に必要な圧力は十分に得られるが、補助導体層１４の周囲に段差が形成され易くなる。
【００３１】
さらに、図３，図４は、本発明の実施の形態の他の例を示す断面図，要部拡大断面図であり、ランド３２の構成以外は図１，図２に示した構成の電子部品搭載用基板と同様である。この場合、ランド３２と絶縁層８を挟んで積層方向に隣り合う内層導体層９の少なくとも一つには、貫通導体の中心軸を中心として導体非形成部１３の幅より好ましい０．０１〜０．５ｍｍ大きい幅を有する円環状の補助導体層３４が導体非形成部１３に対向するように形成されている。このため、セラミックグリーンシートを積層して圧着する際に、内層導体層９の表面に形成された補助導体層３４の厚み分が貫通導体のランド１２周囲の導体非形成部１３の部分に生じている段差を埋めることができるように、密着に必要な圧力を加えることができる。その結果、セラミックグリーンシート同士の密着性を向上させ、セラミックグリーンシート積層体の焼成体において、絶縁層８間に隙間が形成されるのを有効に防止することができる。
【００３２】
なお、補助導体層３４の幅の大きさは導体非形成部１３の幅より０．０１〜０．５ｍｍ大きいことが好ましい。この場合、セラミックグリーンシート同士に積層ずれが発生しても、良好な密着性を付与することができる。０．０１ｍｍ未満であると、積層ずれにより密着性が低下する傾向にあり、他方０．５ｍｍを超えると、導体非形成部１３周囲の内層導体層９と補助導体層３４との重なり部分が大きくなり、密着のための圧力を加えるとセラミックグリーンシートが変形してしまい、セラミックグリーンシート間に隙間が発生して密着性が低下する傾向にある。
【００３３】
かくして、本発明の電子部品搭載用基板によれば、電子部品２が半田４を介して搭載部６に固定され、電子部品２の各電極と配線導体５の電極とが半田４により接続される。これにより、電子部品２の電源電極および接地電極がそれぞれ内層導体層９に接続されている配線導体５に接続されることとなる。そして、電子部品２は例えば樹脂で覆われて封止された後、電極パッド１１を外部電気回路基板上の電極等に半田等の導電性接合材にて固定される。
【００３４】
なお、本発明は上記実施の形態に限定されず、本発明の要旨を逸脱しない範囲内で種々の変更を施すことは何等差し支えない。
【００３５】
【発明の効果】
本発明の電子部品搭載用基板は、複数の絶縁層が積層されて成る絶縁基板の上面に電子部品を搭載するための電極から成る搭載部および電極から引き出された配線導体が形成されているとともに絶縁基板の下面に電極パッドが形成されている基体と、基体の内部に形成された内層電源導体層および内層接地導体層が絶縁層を介して対向するようにして交互に積層されて成る積層コンデンサ部と、積層コンデンサ部を貫通して配線導体から電極パッドにかけて形成された第一の貫通導体と、積層コンデンサ部の内層電源導体層同士または内層接地導体層同士を電気的に接続する第二の貫通導体とを具備し、第一および第二の貫通導体は、内層電源導体層または内層接地導体層を貫通するかまたはそれらに接続する部位に、その部位を同心状に取り囲む導体非形成部によって内層電源導体層または内層接地導体層から独立した導体層から成るランドが設けられているとともに、隣接する内層接地導体層または内層電源導体層を貫通するかまたはそれらに接続する部位に、ランドおよび導体非形成部に対向する補助導体層が設けられていることにより、絶縁層となるセラミックグリーンシートを積層して圧着する際に、補助導体層が形成されている部位は局部的にセラミックグリーンシートの圧着力が高まるため、補助導体層に対向するランドの周囲の導体非形成部の部分に生じている段差を埋めることができる。その結果、セラミックグリーンシート同士の密着性が向上し、セラミックグリーンシート積層体の焼成体に絶縁層間の隙間が形成されるのを有効に防止することができる。従って、貫通導体周囲の機械的強度を高めることができ、また積層コンデンサ部のランドと内層接地導体層または内層電源導体層との間の絶縁性を確保できる。
【図面の簡単な説明】
【図１】本発明の電子部品搭載用基板について実施の形態の一例を示す断面図である。
【図２】図１の電子部品搭載用基板の要部拡大断面図である。
【図３】本発明の電子部品搭載用基板について実施の形態の他の例を示す断面図である。
【図４】図３の電子部品搭載用基板の要部拡大断面図である。
【図５】従来の電子部品搭載用基板の一例を示す断面図である。
【図６】図５の電子部品搭載用基板の要部拡大断面図である。
【図７】電子部品搭載用基板の貫通導体に設けられたランドの部分を示す部分平面図である。
【符号の説明】
１：基体
２：電子部品
３：搭載部
４：半田
５：配線導体
７：積層コンデンサ部
８：絶縁層
９：内層導体層
１０ａ：第一の貫通導体
１０ｂ：第二の貫通導体
１１：電極パッド
１２：ランド
１３：導体非形成部
１４：補助導体層
【図１】
2004095734.tif 000003
【図２】
2004095734.tif 000004
【図３】
2004095734.tif 000005
【図４】
2004095734.tif 000006
【図５】
2004095734.tif 000007
【図６】
2004095734.tif 000008
【図７】
2004095734.tif 000009